(57)【要約】【課題】エゼクタ内の凍結発生を効率的に防止し、或いは凍結箇所を効率的に解凍することが可能な復水器真空ポンプユニット及びその方法を提供する。【解決手段】復水器真空ポンプユニット１０は、大気を導入する大気導入管５６と、封水タンク４０内の空気を導入するタンク内空気導入管５７と、エゼクタ２０に駆動空気を導入する駆動空気導入管５５を、大気導入管５６、又は封水タンク内空気導入管５７と連通するように切り替え可能な切替バルブ６０と、ディフューザ２６を通過した空気の温度を計測する温度計測装置７０と、制御装置８０とを備え、制御装置８０は、温度計測装置７０によって計測された空気の温度が０℃以下になった場合に、駆動空気導入管５５と封水タンク内空気導入管５７とが連通するように切替バルブ６０を切り替える。【選択図】図３
2009127873.tif 000002
【特許請求の範囲】
【請求項１】
復水器内の空気をエゼクタを介して真空ポンプで吸引し、封水タンクを通して大気へ放出する復水器用真空ポンプユニットであって、
前記エゼクタへ復水器内の空気を吸引するための駆動空気を導入する駆動空気導入流路と、
大気を導入するための大気導入流路と、
前記封水タンク内の空気を導入するための封水タンク内空気導入流路と、
前記駆動空気導入流路を、前記大気導入流路又は前記封水タンク内空気導入流路の何れか一方に連通させる切替手段と、
前記エゼクタ内又は前記エゼクタを通過した後の空気の温度を検出する温度検出手段と、
前記温度検出手段により検出された温度に基づいて前記切替手段を制御する制御手段と、を備えることを特徴とする復水器用真空ポンプユニット。
【請求項２】
前記制御手段は、前記温度検出手段により検出した温度が、前記温度が所定温度より高い場合に、前記駆動空気導入流路が前記大気導入流路に連通し、所定温度以下の場合に、前記駆動空気導入流路が前記封水タンク内空気導入流路に連通するよう、前記切替手段を制御することを特徴とする請求項１に記載の復水器真空ポンプユニット。
【請求項３】
前記復水器内の空気圧力を計測する復水器内空気圧力計を備え、
前記制御手段は、前記駆動空気導入流路が前記封水タンク内空気導入流路に連通するよう前記切替手段を制御した後、前記復水器内空気圧力計により計測された復水器内の空気圧力が所定圧以下になった場合に、前記駆動空気導入流路が前記大気導入流路に連通するよう、前記切替手段を制御することを特徴とする請求項１又は２に記載の復水器真空ポンプユニット。
【請求項４】
前記所定温度は、０℃であることを特徴とする請求項２又は３に記載の復水器真空ポンプユニット。
【請求項５】
復水器内の空気をエゼクタを介して真空ポンプで吸引し、封水タンクを通して大気へ放出する復水器用真空ポンプユニットの凍結防止方法であって、
前記エゼクタへ復水器内の空気を吸引するための前記エゼクタ内に導入する駆動空気として、前記封水タンク内の空気を用いることを特徴とする復水器真空ポンプユニットの凍結防止方法。
【請求項６】
前記封水タンク内の空気の前記エゼクタ内への導入は、前記エゼクタ内又は前記エゼクタを通過した後の空気の温度が所定温度以下になった場合になされることを特徴とする請求項５に記載の復水器真空ポンプユニットの凍結防止方法。
【発明の詳細な説明】
【技術分野】
【０００１】
本発明は、蒸気タービン復水器内の空気を、エゼクタを介して真空ポンプで吸引し、封水タンクを通じて大気へ排出する復水器真空ポンプユニットに係り、特に凍結防止機能を備えるもの及びその凍結防止方法に関する。
【背景技術】
【０００２】
蒸気タービン設備を備える発電所では、復水器の内部を真空状態にするために、復水器内の空気を、エゼクタを介して真空ポンプで吸引している。これは、復水器内の空気とともに大気をエゼクタ内に導入し、空気の流速を上昇させることにより負圧を発生させ、この負圧を復水器内の空気吸引に利用するものである。
【０００３】
ここで、エゼクタ内に吸引された復水器内の空気は、大気と混合された後、エゼクタ内のディフューザを通過して真空ポンプへと送られる。このときディフューザを通過した混合空気が断熱膨張し温度が低下する。
【０００４】
エゼクタ内ではこのような現象が生じることにより、例えば、冬季などに冷たい大気がエゼクタ内に導入されると、この冷たい大気と、復水器から吸引される多量の蒸気を含む空気とが混合し、ディフューザ通過後にその温度が氷点下となることがある。この場合、ディフューザ通過後の混合空気中の水分が凍結してエゼクタ内の空気の流通路を閉塞してしまい、復水器内の真空引きが適正に行えなくなることがある。
【０００５】
これに対処すべく、従来よりエゼクタ内を通過する空気中の水分が凍結することを防止する技術が提案されている。
【０００６】
例えば、特許文献１には、真空ポンプの後段に接続される封水タンクの内部に溜まる封水をエゼクタのジャケットまで供給する封水供給配管と、ジャケットに供給された封水を封水タンクまで戻す封水戻り配管と、これら配管内を流通する封水を循環させるための循環ポンプ等とを備える復水器真空ポンプユニットが開示されている。これは、エゼクタのジャケットに暖かい封水を循環させて、その熱をエゼクタのディフューザに伝導させることによりエゼクタ内の温度を上昇させ、エゼクタ内の凍結発生を防止し、またエゼクタ内の凍結箇所を解凍するものである。
【特許文献１】特開２００２―７１２７９号公報
【発明の開示】
【発明が解決しようとする課題】
【０００７】
しかしながら、特許文献１に開示される復水器真空ポンプユニットでは、熱がエゼクタのジャケットからディフューザまで伝導するまでに、ジャケットの表面から放熱されたり、ディフューザ以外の部位に伝導したりすることから、エゼクタ内を通過する空気中の水分の凍結を防止するためには、大量の封水を循環させてジャケットに充分な熱量を供給する必要があり効率的でない。
【０００８】
本発明は、上記の点に鑑みてなされたものであり、エゼクタ内の凍結発生を効率的に防止し、或いは凍結箇所を効率的に解凍することが可能な復水器真空ポンプユニット及びその方法を提供することを目的とする。
【課題を解決するための手段】
【０００９】
上記の目的を達成するため、本発明は、復水器内の空気をエゼクタを介して真空ポンプで吸引し、封水タンクを通して大気へ放出する復水器用真空ポンプユニットであって、
前記エゼクタへ復水器内の空気を吸引するための駆動空気を導入する駆動空気導入流路と、
大気を導入するための大気導入流路と、
前記封水タンク内の空気を導入するための封水タンク内空気導入流路と、
前記駆動空気導入流路を、前記大気導入流路又は前記封水タンク内空気導入流路の何れか一方に連通させる切替手段と、
前記エゼクタ内又は前記エゼクタを通過した後の空気の温度を検出する温度検出手段と、
前記温度検出手段により検出された温度に基づいて前記切替手段を制御する制御手段と、を備えることを特徴とする（第１の発明)。
【００１０】
本発明による復水器真空ポンプユニットによれば、温度検出手段により検出された温度に基づいて、駆動空気導入流路を封水タンク内空気導入流路に連通させることができる。この状態では、真空ポンプから吐出されて封水タンクへ導入された空気が、封水タンク内空気導入流路、駆動空気導入流路、及びエゼクタを経て真空ポンプへ戻ることになる。すなわち、封水タンク内の空気は真空ポンプとの間を循環することになり、真空ポンプを通る過程で温度が上昇する。
【００１１】
また、封水タンクに貯留される封水は、例えば、真空ポンプの軸受等の高熱部位との間で循環して温度が上昇し、このことによっても、封水タンク内の空気の温度は上昇する。したがって、エゼクタには駆動空気として、大気よりも高温の空気が導入されることになることから、ディフューザを通過する際に断熱膨張しても、温度が氷点下に低下するのを回避でき、これにより、復水器からの空気に含まれる水分がエゼクタを通過時に凍結するのを防止し、或いはエゼクタ内の凍結箇所を解凍することができる。
【００１２】
なお、駆動空気とは、吸引の対象となる空気ではなく、吸引の対象となる空気（本発明では、復水器の空気）を吸引するための必要な負圧を発生させるために、エゼクタ内に導入される空気である。
【００１３】
さらに、本発明による復水器真空ポンプユニットによれば、温度検出手段により検出したエゼクタ内又は前記エゼクタを通過した後の空気の温度に基づいて、制御手段が、自動的に切替手段を制御するので、切替手段の切替の手間がかからない。
【００１４】
第２の発明は、第１の発明において、前記制御手段は、前記温度検出手段により検出した温度が、前記温度が所定温度より高い場合に、前記駆動空気導入流路が前記大気導入流路に連通し、所定温度以下の場合に、前記駆動空気導入流路が前記封水タンク内空気導入流路に連通するよう、前記切替手段を制御することを特徴とする。
【００１５】
前記復水器内の空気圧力を計測する復水器内空気圧力計を備え、
第３の発明は、第１又は２の発明において、前記制御手段は、前記駆動空気導入流路が前記封水タンク内空気導入流路に連通するよう前記切替手段を制御した後、前記復水器内空気圧力計により計測された復水器内の空気圧力が所定圧以下になった場合に、前記駆動空気導入流路が前記大気導入流路に連通するよう、前記切替手段を制御することを特徴とする。
【００１６】
第４の発明は、第２又は３の発明において、前記所定温度は、０℃であることを特徴とする。
【００１７】
第５の発明は、復水器内の空気をエゼクタを介して真空ポンプで吸引し、封水タンクを通して大気へ放出する復水器用真空ポンプユニットの凍結防止方法であって、前記エゼクタへ復水器内の空気を吸引するための前記エゼクタ内に導入する駆動空気として、前記封水タンク内の空気を用いることを特徴とする。
【００１８】
第６の発明は、第５の発明において、前記封水タンク内の空気の前記エゼクタ内への導入は、前記エゼクタ内又は前記エゼクタを通過した後の空気の温度が所定温度以下になった場合になされることを特徴とする。
【発明の効果】
【００１９】
本発明によれば、エゼクタ内の凍結発生を効率的に防止し、或いは凍結箇所を効率的に解凍することが可能な復水器真空ポンプユニット及びその方法を提供できる。
【発明を実施するための最良の形態】
【００２０】
以下、本発明の好ましい実施形態について図面に基づき詳細に説明する。
【００２１】
図１は、本実施形態に係る復水器真空ポンプユニット１０の系統図である。  
図１に示すように、復水器真空ポンプユニット１０は、エゼクタ２０と、真空ポンプ３０と、封水タンク４０とを備え、これら各装置間には、蒸気タービン復水器１００内の空気を、エゼクタ２０を介して真空ポンプ３０で吸引し、封水タンク４０を通じて大気へ排出するように、各空気排出管５１〜５４が設けられている。
【００２２】
また、エゼクタ２０に接続する駆動空気導入管５５には、大気を導入する大気導入管５６と、封水タンク４０内の空気を導入する封水タンク内空気導入管５７とが切替バルブ６０を介して接続されている。
【００２３】
図２は、図１に示すエゼクタ２０の模式断面図である。  
図２に示すように、エゼクタ２０は、復水器１００の空気を吸引する吸引力を得るために、外部から導入される駆動空気を高速に吐出し、その吐出流の周囲に負圧を発生させるノズル２２と、復水器１００から吸引された空気が取り入れられ、駆動空気と混合させる吸入室２４と、吸入室２４にて混合された空気を減圧し、空気排出管５２を通じて真空ポンプ３０へ排出するディフューザ２６とから構成される。なお、駆動空気とは、吸引の対象となる空気ではなく、吸引の対象となる空気（本実施形態では、復水器１００の空気）を吸引するための必要な負圧を発生させるために、駆動空気導入管５５を通じてエゼクタ２０内に導入される空気である。エゼクタ２０を用いる理由は、エゼクタ２０を介さずに真空ポンプ３０を復水器１００に直接接続して空気を吸引するよりも、エゼクタ２０を介した方が復水器１００内の真空度を高めることができるからである。
【００２４】
このようなエゼクタ２０のディフューザ２６のフィーダ２８（出口部）には、ディフューザ２６を通過した混合空気の温度を計測可能な温度計測装置７０が設けられている。温度計測装置７０には、例えば熱電対を用いることができる。この温度計測装置７０は後述する制御装置８０に接続されている。
【００２５】
真空ポンプ３０（図１参照）は、エゼクタ２０を介して復水器１００から空気を吸引するとともに、エゼクタ２０から排出された混合空気を、空気排出管５３を通じて封水タンク４０に送給する。
【００２６】
封水タンク４０は、真空ポンプ３０から送給された空気中の水分を分離し、封水として貯留するとともに、水分を分離した空気を、空気排出管５４を通じて大気に放出する。この封水は、真空ポンプ３０の軸受等の潤滑や密閉性維持に用いられ、真空ポンプ３０と封水タンク４０との間を循環している。
【００２７】
大気導入管５６は、その一端が大気と通じ、他端が切替バルブ６０を介して駆動空気導入管５５に接続されている。  
一方、封水タンク内空気導入管５７は、その一端が、例えば、封水タンク４０上部のタンク内の空気層に位置する箇所に接続され、切替バルブ６０を介して駆動空気導入管５５に接続されている。
【００２８】
切替バルブ６０は、駆動空気導入管５５に連通する配管を、大気導入管５６又は封水タンク内空気導入管５７に切り替えることにより、エゼクタ２０に導入する駆動空気を、大気又は封水タンク４０内の空気に変更するためのものである。
【００２９】
後述するように、通常運転時には、切替バルブ６０により大気導入管５６が駆動空気導入管５５に連通され、エゼクタ２０に大気が導入される。一方、エゼクタ２０内を通過する空気中の水分が凍結するおそれがある場合には、切替バルブ６０により封水タンク内空気導入管５７が駆動空気導入管５５に連通され、封水タンク４０内の空気がエゼクタ２０に供給される。
【００３０】
切替バルブ６０には、例えば、外部からの電気信号によりその切り替えが制御可能な電動三方弁を用いることができる。電動三方弁は、後述する制御装置８０によって駆動空気の切り替えが制御される。
【００３１】
また、封水タンク４０に接続される空気排出管５４にも電動逆止弁６２が設けられており、制御装置８０によって空気の排出の許可又は禁止が制御される。
【００３２】
図３は、制御装置８０の制御系統を示す図である。  
図３に示すように、制御装置８０には、例えば、復水器１００内の真空度を計測する復水タンク内圧力計８２と、グランド蒸気圧力を計測するグランド蒸気圧力計８４と、復水器１００内の蒸気を冷却するための海水を供給する循環ポンプ８６の消費電流を計測する循環ポンプ電流計８５と、循環ポンプ８６の海水の供給圧力を計測する循環ポンプ圧力計８７と、真空ポンプ３０の消費電流を計測する真空ポンプ電流計３２と、エゼクタ２０内の温度を計測する温度計測装置７０とが、無線又は有線の電気通信手段を介して接続されており、制御装置８０は、これら接続機器からの情報に基づいて復水器１００内の真空度低下の原因を特定する諸々の判定を行う。
【００３３】
また、制御装置８０には、切替バルブ６０及び電動逆止弁６２が、無線又は有線の電気通信手段を介して接続されており、真空度低下の原因がエゼクタ２０内を通過する空気中の水分の凍結によるものである場合に、これらバルブを制御して凍結を防止又は解凍する処置を行う。
【００３４】
この制御装置８０は、例えば、メモリとＣＰＵとを備えるコンピュータにより構成され、メモリ内には制御プログラムが記憶され、ＣＰＵがそのプログラムを実行することで切替バルブ６０及び電動逆止弁６２の動作を制御する。
【００３５】
図４は、制御装置８０が実行する処理の流れを示すフローチャートである。  
図４に示すように、ステップＳ１では、先ず、復水器１００内の真空度が低下傾向にあるか否かの判定をする。例えば、復水器１００内に設置される復水タンク内圧力計８２（図３参照）により計測された圧力が所定圧よりも高い場合、復水器１００内の真空度が低下したとしてＹＥＳと判定し、ステップＳ２に移行する。一方、復水タンク内圧力計８２により計測された圧力が所定圧以下である場合には、ＮＯと判定し、再びステップＳ１を繰り返す。
【００３６】
次に、ステップＳ２〜Ｓ５においては、復水器１００内に生じた真空度低下の原因を特定するための処理を行う。
【００３７】
先ず、ステップＳ２では、グランド蒸気圧力計８４の出力に基づいてグランド蒸気圧力が正常であるか否かを判定する。グランド蒸気とはタービンの軸封部をシールするための蒸気である。グランド蒸気圧力の低下は、タービンの軸封部における密封が適正になされていないことを示し、この場合、空気が軸封部から復水器１００内に漏洩することにより復水器１００内の真空度が低下する。この現象に基づき、グランド蒸気圧力計８４（図３参照）により計測されたグランド蒸気圧力が所定圧（例えば、２５Ｋｐａ）未満であれば、グランド蒸気圧力が異常であるとしてＮＯと判定し、グランド蒸気圧力が異常である旨を、制御装置８０のＣＲＴ上等に警告表示する。この場合、作業員等によってグランド蒸気圧力異常に対する所定の処置要領に従った対応がなされることになる。一方、グランド蒸気圧力が所定圧（例えば、２５Ｋｐａ）以上であれば、グランド蒸気圧力には異常がないとしてＹＥＳと判定し、ステップＳ３に移行する。
【００３８】
ステップＳ３では、復水器１００内の蒸気を冷却するための海水を供給する循環ポンプ８６（図３参照）が正常に動作しているか否かを判定する。復水器１００への海水の供給に不良が生じると、復水器１００内の蒸気を冷却できないため真空度が適正に維持できないからである。具体的には、循環ポンプ電流計８５の電流及び循環ポンプ圧力計８７の圧力が所定値（例えば、電流２００Ａ、圧力０．１Ｍｐａ）より高い場合には、循環ポンプ８６が異常であるとしてＮＯと判定し、循環ポンプ８６に異常が生じた旨をＣＲＴ上等警告表示する。この場合、作業員等によって循環ポンプ異常に対する所定の処置要領に従った対応がなされることになる。一方、循環ポンプ電流計８５の電流及び循環ポンプ圧力計８７の圧力が前記所定値以下であれば、制御装置８０は、循環ポンプ８６は異常でないとしてＹＥＳと判定し、ステップＳ４に移行する。
【００３９】
ステップＳ４では、真空ポンプ３０（図３参照）が正常に動作しているか否かを判定する。真空ポンプ３０に異常が生じた場合には、復水器１００の真空引きが適正に行えず、復水器１００の真空度が低下するからである。具体的には、真空ポンプ電流計３２の電流が所定値（例えば、１３０Ａ）より高い場合は、真空ポンプ３０に異常があるとしてＮＯと判定し、真空ポンプ３０の異常に生じた旨をＣＲＴ上等警告表示する。この場合、作業員等によって真空ポンプ３０異常に対する所定の処置要領に従った対応がなされることになる。一方、真空ポンプ電流計３２の電流が所定値以下であれば、制御装置８０は真空ポンプ３０には異常がないとしてＹＥＳと判定し、ステップＳ５に移行する。
【００４０】
ステップＳ５では、温度計測装置７０の出力に基づきエゼクタ２０内の温度が正常であるか否かを判定する。エゼクタ２０のディフューザ２６（図２参照）通過後の空気は、断熱膨張により温度が低下するので、冬季などに冷たい大気がエゼクタ２０内に導入される場合、この冷たい大気が、復水器１００から吸引される多量に蒸気を含む空気に混合されることで、ディフューザ２６通過後にその温度が氷点下となることがあり、これによりディフューザ２６通過後の混合空気中の水分が凍結してエゼクタ２０内の空気の流通路を閉塞してしまい、復水器１００内の真空引きが適正に行えなくなることがあるからである。
【００４１】
具体的には、ディフューザフィーダ２８（図２参照）に設置された温度計測装置７０（図２及び図３参照）によって計測された温度が０℃より高い場合は、制御装置８０は復水器１００内の真空度の低下の原因が凍結によるものでないとしてＮＯと判定し、エゼクタ２０内に凍結が生じていないことを表示する。
【００４２】
一方、その温度が０℃以下である場合は、制御装置８０は復水器１００内の真空度の低下の原因が凍結によるものとしてＹＥＳと判定し、ステップＳ６の凍結解除処置に移行する。
【００４３】
ステップＳ６では、ディフューザフィーダ２８内の凍結を防止又は解凍する処置を行う。具体的には、制御装置８０により、駆動空気導入管５５と封水タンク内空気導入管５７とが連通するように切替バルブ６０が切り替えられるとともに、電動逆止弁６２が閉状態になるように切り替えられる（図３参照）。この状態では、真空ポンプ３０から吐出されて封水タンク４０へ導入された空気が、封水タンク内空気導入管５７、駆動空気導入管５５、及びエゼクタ２０を経て真空ポンプ３０へ戻ることになる。すなわち、封水タンク４０内の空気は真空ポンプ３０との間を循環することになり、真空ポンプ３０を通る過程で温度が上昇する。また、封水タンク４０に貯留される封水は、例えば、真空ポンプ３０の軸受等の高熱部位との間で循環して温度が上昇し、このことによっても、封水タンク４０内の空気の温度は上昇する。
【００４４】
したがって、エゼクタ２０には駆動空気として、大気よりも高温の空気が導入されることになることから、ディフューザ２６を通過する際に断熱膨張しても、温度が氷点下に低下するのを回避できる。これにより、ディフューザ２６を通過する空気中の水分が凍結するのを防止することができ、万一、エゼクタ２０内で凍結が生じても、その凍結箇所を解凍することができる。そして、ステップＳ６の凍結解除処置が所定時間行われた後、ステップＳ７に移行する。
【００４５】
ステップＳ７では、復水器１００の真空度が回復したか否かの判定をする。具体的には、復水器１００内に設置される復水タンク内圧力計８２によって計測された復水器１００内の圧力が、所定圧まで低下したか否かを判定し、回復した場合にはＹＥＳと判定して、ステップＳ８に移行する。
【００４６】
ステップＳ８では、復水器真空ポンプユニット１０を凍結解除運転から通常運転に変更する。具体的には、制御装置８０により、駆動空気導入管５５と大気導入管５６とが連通するように切替バルブ６０が切り替えられ、電動逆止弁６２が開状態になるように切り替えられる。これにより、大気が駆動空気としてエゼクタ２０に導入され、通常運転に戻る。
【００４７】
一方、ステップＳ７で、復水器１００内の圧力が所定の真空度の範囲内に回復しない場合にはＮＯと判定する。これは、ステップＳ６の処置を実施しても、エゼクタ２０内の凍結を防止又は解凍できなかった場合である。この場合には、先ず、ステップＳ８と同様の処置を実施して通常運転に変更すると同時に、例えば、大気導入管５６の大気側の吸い込み口から、ドライヤ等の温風を導入させ、エゼクタ２０の駆動空気として導入することにより、エゼクタ２０内の凍結を強制的に解凍する等の対処を行う。
【００４８】
以上説明した本実施形態に係る復水器真空ポンプユニット１０によれば、制御装置８０が、温度計測装置７０によって計測された空気の温度が０℃以下になった場合に、駆動空気導入管５５と封水タンク内空気導入管５７とが連通するように切替バルブ６０を切り替えることにより、大気よりも高温の封水タンク４０内の空気が駆動空気としてエゼクタ２０に導入されることになるので、その駆動空気が復水器１００から吸引される空気と混合し、ディフューザ２６を通過の際に断熱膨張して温度が低下しても、温度が氷点下に低下するのを回避でき、これにより、復水器１００からの空気に含まれる水分がディフューザ２６を通過時に凍結するのを防止し、万一、凍結した場合でも凍結箇所を解凍することができる。
【００４９】
また、設備的な面においても、大気導入管５６、封水タンク内空気導入管５７、及び切替バルブ６０は、従来の復水器真空ポンプユニット１０には通常設置されているものであり、これらに温度計測装置７０及び制御装置８０を設けた簡易な構成であることにより、特許文献１に記載される復水器真空ポンプユニット１０のような封水タンク４０からエゼクタ２０まで封水を循環させるような大掛かりな構成と比べて、設備コストを軽減できる。
【００５０】
また、本実施形態に係る復水器真空ポンプユニット１０によれば、温度計測装置７０により検出したエゼクタ２０内又はエゼクタ２０を通過した後の空気の温度に基づいて、制御装置８０が、自動的に切替バルブ６０を制御するので、切替バルブ６０の切替の手間がかからない。
【００５１】
なお、本実施形態に係る復水器真空ポンプユニット１０では、温度計測装置７０をディフューザフィーダ２８に設けるとしたが、これに限らず、例えば、ディフューザ２６の流路や吸入室２４等のディフューザフィーダ２８以外のエゼクタ２０内の部位に設けてもよく、また、エゼクタ２０の後段の空気排出管５２内に設けて、エゼクタ２０を通過した後の空気の温度を検出するようにしてもよい。
【００５２】
また、本実施形態に係る復水器真空ポンプユニット１０では、制御装置８０によりエゼクタ２０内の凍結防止処置がなされるための判定基準を、温度計測装置７０によって計測される温度が０℃以下になることとしたが、これに限らず、この温度を０℃から多少高めの、例えば１〜２℃等に設定してもよい。これにより、より確実にエゼクタ２０内の凍結発生を防止することができる。
【図面の簡単な説明】
【００５３】
【図１】本実施形態に係る復水器真空ポンプユニット１０の系統図である。
【図２】図１に示すエゼクタ２０の模式断面図である。
【図３】制御装置８０の制御系統を示す図である。
【図４】制御装置８０が実行する処理の流れを示すフローチャートである。
【符号の説明】
【００５４】
１０  復水器真空ポンプユニット
２０  エゼクタ
２２  ノズル
２４  吸入室
２６  ディフューザ
２８  ディフューザフィーダ
３０  真空ポンプ
３２  真空ポンプ電流計
４０  封水タンク
５１、５２、５３、５４  空気排出管
５５  駆動空気導入管
５６  大気導入管
５７  封水タンク内空気導入管
６０  切替バルブ
６２  電動逆止弁
７０  温度計測装置
８０  制御装置
８２  復水タンク内圧力計
８４  グランド蒸気圧力計
８５  循環ポンプ電流計
８６  循環ポンプ
８７  循環ポンプ圧力計
１００  復水器
Ｓ１、Ｓ２、Ｓ３、Ｓ４、Ｓ５、Ｓ６、Ｓ７、Ｓ８  ステップ
【図１】
2009127873.tif 000003
【図２】
2009127873.tif 000004
【図３】
2009127873.tif 000005
【図４】
2009127873.tif 000006